(57)【要約】【課題】能動素子アレイ基板およびカラーフィルター基板上に配置される画素構造を備えて、良好な動態表示画面を有するものとなるＬＣＤパネルを提供する。良好な動態表示画面を有するＬＣＤパネルを提供することにある。【解決手段】第１基板と第２基板と液晶層とを含む液晶表示パネルが提供されるものであって、第１基板が能動素子アレイと画素電極層と複数の第１配向パターンとを含み、各各第１配向パターンが少なくとも１つの第１縮小エリアを有するとともに、該第１縮小エリアの幅が該第１配向パターンの他の部分の幅よりも小さいものであり、第２基板が第１基板の上方に配置され、電極層および複数の第２配向パターンを含み、かつ該第２配向パターンおよび該第１配向パターンが交差するものであり、液晶層が第１基板および第２基板間に配置されるものである。【選択図】  図５
2007011251.tif 000002
【特許請求の範囲】
【請求項１】
液晶表示パネルであって：
第１基板であり、能動素子アレイ、画素電極層および複数の第１配向パターンを含み、そのうち、各第１配向パターンが少なくとも１つの第１縮小エリアを有するとともに、該第１縮小エリアの幅が該第１配向パターンの他の部分の幅よりも小さいものであるものと；
第２基板であり、該第１基板の上方に配置され、電極層および複数の第２配向パターンを含み、かつ該第２配向パターンおよび該第１配向パターンが交差するものと；
液晶層であり、該第１基板および該第２基板間に配置されるものと
を含むものである。
【請求項２】
請求項１に述べた液晶表示パネルであって、そのうち、各第２配向パターンが少なくとも１つの第２縮小エリアを有し、かつ該第２縮小エリアの幅が該第２配向パターンの他の部分の幅よりも小さいものである。
【請求項３】
請求項１に述べた液晶表示パネルであって、そのうち、該第１配向パターンが該画素電極層に形成された複数の突起からなるものである。
【請求項４】
請求項１に述べた液晶表示パネルであって、そのうち、該第１配向パターンが該画素電極層に形成された複数のスリットからなるものである。
【請求項５】
請求項４に述べた液晶表示パネルであって、そのうち、隣り合う２スリット間に配置された該画素電極層が更に複数の開口を含むものである。
【請求項６】
請求項１に述べた液晶表示パネルであって、そのうち、該第２配向パターンが該画素電極層に形成された複数の突起からなるものである。
【請求項７】
請求項１に述べた液晶表示パネルであって、そのうち、該第２配向パターンが該画素電極層に形成された複数のスリットからなるものである。
【請求項８】
請求項７に述べた液晶表示パネルであって、そのうち、隣り合う２スリット間に配置された該画素電極層が更に複数の開口を含むものである。
【請求項９】
請求項１に述べた液晶表示パネルであって、そのうち、該能動素子アレイが以下：
複数の信号線および複数の走査線であり、複数の画素エリアを定義するものと；
複数の薄膜トランジスターであり、それぞれ複数の該画素エリアに配置されて複数の該信号線および該走査線に電気接続されるものと
を含むものである。
【請求項１０】
請求項１に述べた液晶表示パネルであって、そのうち、該第２基板が更にカラーフォトレジスト層を含むものである。
【請求項１１】
画素構造であって：
能動素子であり、基板上に配置されるものと；
画素電極層であり、該基板上に配置され、該能動素子に電気接続されるものと；
複数の配向パターンであり、該画素電極層上に配置され、そのうち、各配向パターンが少なくとも１つの縮小エリアを有し、該縮小エリアの幅が該配向パターンの他のエリアの幅より小さいものであるものと
を含むものである。
【請求項１２】
請求項１１に述べた画素構造であって、そのうち、該配向パターンが該電極層に形成された複数の突起からなるものである。
【請求項１３】
請求項１１に述べた画素構造であって、そのうち、該配向パターンが該電極層に形成された複数のスリットからなるものである。
【請求項１４】
請求項１３に述べた画素構造であって、そのうち、隣り合う２スリット間に配置された該画素電極層が更に複数の開口を含むものである。
【請求項１５】
画素構造であって、以下：
カラーフォトレジスト層であり、基板上に配置されるものと；
電極層であり、該カラーフォトレジスト層上に配置されるものと；
複数の配向パターンであり、該電極層上に配置され、そのうち、各配向パターンが少なくとも１つの縮小エリアを有し、該縮小エリアの幅が該配向パターンの他のエリアの幅より小さいものであるものとを含むものである。
【請求項１６】
請求項１５に述べた画素構造であって、そのうち、該配向パターンが該電極層に形成された複数の突起からなるものである。
【請求項１７】
請求項１５に述べた画素構造であって、そのうち、該配向パターンが該電極層に形成された複数のスリットからなるものである。
【請求項１８】
請求項１７に述べた画素構造であって、そのうち、隣り合う２スリット間に配置された該画素電極層が更に複数の開口を含むものである。
【発明の詳細な説明】
【技術分野】
【０００１】
この発明は、液晶表示パネル（Liquid Crystal Display Panel）に関し、特に、多区域垂直配向（Multi-domain Vertical Alignment = MVA）液晶表示パネルに関する。
【背景技術】
【０００２】
高画質、高い空間利用率、低い消費電力、放射線なし等の優越特性を備えた薄膜トランジスター液晶表示器（Thin Film Transistor Liquid Crystal Display = TFT LCD）が既にディスプレイ市場の主流となっている。現在、ＬＣＤの性能に対する要求は、高いコントラスト率（High Contrast Ratio）、早い応答性、広視覚性である。例えば、多区域垂直配向（Multi-domain Vertical Alignment = MVA）ＬＣＤが、以下に記述するように、広視覚性を達成している。
【０００３】
図１は、従来の多区域垂直配向ＬＣＤの平面図を示しており、１つの画素だけが描かれている。図１Ａは、図１のＡ−Ａ’線による断面図を示している。図１と図１Ａとにおいて、ＭＶＡ  ＬＣＤパネル１００は、少なくとも能動素子アレイ基板１１０と、カラーフィルター基板１２０と、液晶層１３０とを含み、そのうち、能動素子アレイ基板１１０が少なくとも基板１１１と、走査線１１２と、信号線１１３と、共用電極１１４と、薄膜トランジスター１１５と、画素電極層１１６とを含んでいる。さらに、スリット１１８が画素電極層１１６中に形成されている。
【０００４】
加えて、走査線１１２と信号線１１３とが基板１１１上で画素エリア１１０ａを定義しており、そのうち、薄膜トランジスター１１５が画素エリア１１０ａ内に配置され、対応する信号線１１３および走査線１１２に電気接続されている。画素電極層１１６が対応するように画素エリア１１０ａ内に配置され、対応する薄膜トランジスター１１５に電気接続されている。共用電極１１４と画素電極層１１６とは、蓄積キャパシターの両極として作用する。
【０００５】
図１と図１Ａとにおいて、カラーフィルター基板１２０が能動素子アレイ基板１１０上方に配置されており、少なくとも基板１２１と、カラーフォトレジスト層１２２と、電極層１２３と、突起１２４とを含んでいる。加えて、カラーフォトレジスト層１２２が基板１２１上に配置され、電極層１２３がカラーフォトレジスト層１２２上に配置され、突起１２４が電極層１２３上に配置されている。また、液晶層１３０が能動素子アレイ基板１１０およびカラーフィルター基板１２０間に配置され、そのうち、液晶層１３０が複数の液晶分子１３２を含んでいる。
【０００６】
駆動電圧がこれら２つの基板１１０，１２０に供給される時、能動素子アレイ基板１１０中のスリット１１８およびカラーフィルター基板１２０上に配置された突起１２４付近の電力線（図示せず）が歪められてスリット１１８および突起１２４付近の液晶分子１３２の配向が変更される。それにより、広視覚のＬＣＤが異なる液晶配向という手段によって製作される。しかし、上述した画素設計には、動画を表示する時に、下記するような幾つかの問題が存在する。
【発明の開示】
【発明が解決しようとする課題】
【０００７】
図２Ａと図２Ｂとは、移動検査フレーム使用による従来のＭＶＡ  ＬＣＤパネルの表示品質を検査する説明図である。図３は、液晶分子配向状態の平面図である。図２Ａと図２Ｂと図３とにおいて、先ず、図２Ａに示したように、黒ブロック２１０が白フレーム２２０上に表示される。次に、図２Ｂに示したように、黒ブロック２１０が白フレーム２２０上を移動する。加えて、スリット１１８および突起１２４（図３に表示）付近で歪んでいる電力線（図示せず）が付近の液晶分子１３２に他のエリアの液晶分子１３２配向とは異なる傾斜方向を持たせるものとなる。従って、電界が変化または画像が変化する時（つまり図２Ｂに示した黒ブロック２１０が移動する時）、付近の液晶分子１３２が安定状態に分極化できないので、ダイナミック・クロストーク（dynamic crosstalk）が発生し、図２Ｂに示したイメージドラッグド・ホワイトエリア（image-dragged white area）２３０という結果となる。
【０００８】
そこで、この発明の第１の目的は、良好な動態表示画面を有するＬＣＤパネルを提供することにある。
【０００９】
この発明の第２の目的は、能動素子アレイ基板上に配置される画素構造を提供することにある。その画素構造設計を介して、能動素子アレイ基板を備えたＬＣＤパネルが良好な動態表示画面を有するものとなる。
【００１０】
この発明の第３の目的は、カラーフィルター基板上に配置される画素構造を提供することにある。その画素構造設計を介して、カラーフィルター基板を備えたＬＣＤパネルが良好な動態表示画面を有するものとなる。
【課題を解決するための手段】
【００１１】
上記課題を解決し、所望の目的を達成するために、この発明が液晶表示パネルを提供するものであって：第１基板であり、能動素子アレイ、画素電極層および複数の第１配向パターンを含み、そのうち、各第１配向パターンが少なくとも１つの第１縮小エリアを有するとともに、該第１縮小エリアの幅が該第１配向パターンの他の部分の幅よりも小さいものであるものと；第２基板であり、該第１基板の上方に配置され、電極層および複数の第２配向パターンを含み、かつ該第２配向パターンおよび該第１配向パターンが交差するものと；液晶層であり、該第１基板および該第２基板間に配置されるものとを含むものである。
【００１２】
この発明の実施形態において、各第２配向パターンが少なくとも１つの第２縮小エリアを有し、かつ該第２縮小エリアの幅が該第２配向パターンの他の部分の幅よりも小さいものである。
【００１３】
この発明の実施形態において、該第１配向パターンが該画素電極層に形成された複数の突起からなるものである。
【００１４】
この発明の実施形態において、該第１配向パターンが該画素電極層に形成された複数のスリットからなり、隣り合う２スリット間に配置された該画素電極層が更に複数の開口を含むものである。
【００１５】
この発明の実施形態において、該第２配向パターンが該画素電極層に形成された複数の突起からなるものである。
【００１６】
この発明の実施形態において、該第２配向パターンが該画素電極層に形成された複数のスリットからなり、隣り合う２スリット間に配置された該画素電極層が更に複数の開口を含むものである。
【００１７】
この発明の実施形態において、該能動素子アレイが以下：複数の信号線および複数の走査線であり、複数の画素エリアを定義するものと；複数の薄膜トランジスターであり、それぞれ複数の該画素エリアに配置されて複数の該信号線および該走査線に電気接続されるものとを含むものである。
【００１８】
この発明の実施形態において、該第２基板が更にカラーフォトレジスト層を含むものである。
【００１９】
この発明が画素構造を提供するものであって、能動素子であり、基板上に配置されるものと；画素電極層であり、該基板上に配置され、該能動素子に電気接続されるものと；複数の配向パターンであり、該画素電極層上に配置され、そのうち、各配向パターンが少なくとも１つの縮小エリアを有し、該縮小エリアの幅が該配向パターンの他のエリアの幅より小さいものであるものとを含むものである。
【００２０】
この発明の実施形態において、該配向パターンが該電極層に形成された複数の突起からなるものである。
【００２１】
この発明の実施形態において、該配向パターンが該電極層に形成された複数の突起からなり、該配向パターンが該電極層に形成された複数のスリットからなり、隣り合う２スリット間に配置された該画素電極層が更に複数の開口を含むものである。
【００２２】
この発明が画素構造を提供するものであって、以下：カラーフォトレジスト層であり、基板上に配置されるものと；電極層であり、該カラーフォトレジスト層上に配置されるものと；複数の配向パターンであり、該電極層上に配置され、そのうち、各配向パターンが少なくとも１つの縮小エリアを有し、該縮小エリアの幅が該配向パターンの他のエリアの幅より小さいものであるものとを含むものである。
【００２３】
この発明の実施形態において、該配向パターンが該電極層に形成された複数の突起からなるものである。
【００２４】
この発明の実施形態において、該配向パターンが該電極層に形成された複数のスリットからなり、隣り合う２スリット間に配置された該画素電極層が更に複数の開口を含むものである。
【００２５】
(作用)
この発明は、縮小エリアを備えた配向パターンを使用しているので、電界が変化または画面が変化する時、付近の液晶分子が迅速に安定状態に分極することができる。
【発明の効果】
【００２６】
この発明にかかる能動素子アレイ基板上に配置されたＭＶＡ  ＬＣＤパネル、画素構造およびカラーフィルター基板上に配置された画素構造は、少なくとも下記する利点を有する。
（１）駆動電圧がこれら２つの基板間に供給された時、この発明は、縮小エリアを備えた配向パターンを使用しているので、付近の電力線分布が液晶分子を同一方向へ傾斜させることができるとともに、迅速に安定状態へ分極させるから、良好な動態画面を得ることができる。
（２）この発明の配向パターン（スリットまたは突起）および開口は、能動素子アレイ基板の画素電極上、あるいはカラーフィルター基板の電極層上に製作することができる。ＭＶＡ  ＬＣＤパネルの多様性により、スリットまたは突起の異なる配合を使用することで、液晶分子を迅速に安定状態へ分極させることができる。
【発明を実施するための最良の形態】
【００２７】
以下、この発明を実施するための最良の形態を図面に基づいて説明する。
図４は、この発明の実施形態にかかるＭＶＡ  ＬＣＤパネルを概略的に示す平面図である。図４Ａは、図４のＢ−Ｂ’線に沿って示した断面図である。図４と図４Ａとにおいて、ＭＶＡ  ＬＣＤパネル３００は、例えば、第１基板３１０と、第２基板３２０と、液晶層３３０とを含む。第１基板３１０は、能動素子アレイ３１７と、画素電極層３１６と、複数の第１配向パターン３１８とを含み、そのうち、各第１配向パターン３１８が少なくとも１つの縮小エリア３１８ａを含む。縮小エリア３１８ａの幅d1は、縮小エリア３１８ａの他エリアの幅d2よりも小さい。第２基板３２０は、第１基板３１０上に配置され、電極層３２３と、複数の第２配向パターン３２４とを含む。第２配向パターン３２４と第１配向パターン３１８とは、交差している。液晶層３３０は、第１基板３１０および第２基板３２０間に配置される。加えて、液晶層３３０が複数の液晶分子３３２を含んでいる。
【００２８】
図４と図４Ａとにおいて、この発明にかかる実施形態では、第１基板３１０が例えば能動素子アレイ３１７を含む能動素子アレイ基板である。能動素子アレイ３１７は、例えば、複数の信号線３１３（図４に１つのみ表示）と、複数の走査線３１２（図４に１つのみ表示）と、複数の薄膜トランジスター３１５（図４に１つのみ表示）とを含む。信号線３１３と走査線３１２とが複数の画素エリア３１０ａ（図４に１つのみ表示）を定義しており、薄膜トランジスター３１５がそれぞれ配置されている。さらに、薄膜トランジスター３１５が複数の信号線３１３および走査線３１２にそれぞれ電気接続される。そのほか、薄膜トランジスター３１５が対応する画素電極層３１６にそれぞれ電気接続される。加えて、第１基板３１０がその上に配置される共用電極３１４を含み、そのうち、共用電極３１４および画素電極層３１６が蓄積キャパシターの両極として使用される。加えて、実施形態において、第２基板３２０は、例えば、その上に配置されるカラーフォトレジスト層３２２を含んで、光線を通過させＬＣＤパネルをフルカラーとする。
【００２９】
注意すべきは、第１配向パターン３１８が例えば画素電極層３１６中に複数のスリットを含み、そのうち、スリットは、画素電極層３１６をパターン化する時に形成されることであり、とりわけ、スリット３１８が第１縮小エリア３１８ａを有し、それらの幅d1がスリット３１８の幅d2より小さいことである。さらに、図４に示すように、複数の第１縮小エリア３１８ａが固定距離d3で分離されてスリット３１８上に配置されていることである。また、第２配向パターン３２４が第２基板３２０上に配置されており、例えば、電極層３２３上に形成された複数の突起からなる。第２配向パターン３２４および第１配向パターン３１８は、交差している。
【００３０】
図５は、この発明の実施形態にかかる別なＭＶＡ  ＬＣＤパネルの平面図である。図５において、図４と同じ部分には、同じ符号を使用している。注意すべきは、第２配向パターン３２４が第２基板３２０上に配置されており、例えば、少なくとも第２縮小エリア３２４ａがあり、その幅d4が第２配向パターン３２４の他のエリアの幅d5より小さいものとなっていることである。ある実施形態において、第２縮小エリア３２４ａは、固定距離d6で隔てられるように第２配向パターン３２４上に配置されている。第２配向パターン３２４が第２基板３２０上に配置され、第１配向パターン３１８が第１基板３１０上に配置されて、交差するものとなっている。さらに、第２配向パターン３２４は、例えば、突起であり、第１配向パターン３１８は、スリットである。また、第１基板３１０上に配置された第１配向パターン３１８は、第１縮小エリア３１８ａまたは突起を有するスリットを含んでいる。同様に、第２基板３２０上に配置された第２配向パターン３２４は、第２縮小エリア３２４ａまたは突起を有するスリットを含んでいる。多様なＭＶＡ  ＬＣＤパネルが第１基板３１０および第２基板３２０間の異なる組み合わせにより製造される。
【００３１】
図４に示したＭＶＡ  ＬＣＤパネルのほかに、図６Ａ〜図６Ｃには、この発明の実施形態にかかる３種類のＭＶＡ  ＬＣＤパネル断面図を示している。図６Ａにおいて、第１基板３１０上に配置された第１配向パターン３１８は、電極層３１６に形成された複数の突起を含むことができる。また、第２基板３２０上に配置された第２配向パターン３２４は、電極層３２３に形成された複数のスリットを含むことができる。同様に、図５に示したように、各第２配向パターン３２４は、少なくとも第２縮小エリア３２４ａを有しており、その幅d4がその幅d4が第２配向パターン３２４の他のエリアの幅d5より小さいものとなっている。図５と図６Ｂとにおいて、第１配向パターン３１８および第２配向パターン３２４は、第１縮小エリア３１８ａおよび第２縮小エリア３２４ａを備えたスリットを有するように設計することもできる。図５と図６Ｃとにおいて、第１配向パターン３１８および第２配向パターン３２４は、第１縮小エリア３１８ａおよび第２縮小エリア３２４ａを備えた突起を有するように設計することもできる。これら２つの基板３１０，３２０間に駆動電圧が供給される時、第１縮小エリア３１８ａおよび第２縮小エリア３２４ａ付近の電力線分布が液晶分子３３２を同一方向へ傾斜させて、迅速に安定状態に分極化することができる。
【００３２】
つまり、第１基板３１０上に配置された第１配向パターン３１８は、縮小エリア３１８ａを備えたスリットまたは突起を含むことができる。また、第２基板３２０上に配置された第２配向パターン３２４は、縮小エリア３２４ａを備えたスリットまたは突起を含むことができる。縮小エリア３１８ａ，３２４ａを有するスリットおよび突起の異なる組み合わせを使用した、これら２つの基板３１０，３２０間に駆動電圧が供給される時、第１縮小エリア３１８ａおよび第２縮小エリア３２４ａ付近の電力線分布が液晶分子３３２を同一方向へ傾斜させて、迅速に安定状態に分極化することができる。従って、この発明は、動態画像のディスプレイ性能を強化することができる。
【００３３】
図７は、この発明の実施形態にかかるまた別なＭＶＡ  ＬＣＤパネルを示す平面図である。図７Ａは、図７のＣ−Ｃ｀線に沿って示した断面図である。なお、図７，７Ａおよび図４，４Ａにおいて同じ部材を示すものには同一の符号を使用し、改めて説明をしない。
【００３４】
注意に値することは、第１配向パターン３１８がスリットを含む時、２つの隣接するスリット間の画素電極層３１６が更に例えば複数の開口３４０を含むことである。図７，７Ａに示すように、これらの開口３４０は、固定距離d7で隔てられており、第２配向パターン３２４（突起）と反対側の画素電極層３１６中に形成されている。
【００３５】
開口３４０を備えたＭＶＡ  ＬＣＤパネルは、第１基板３１０上に配置された第１配向パターン３１８、第２基板３２０上に配置された第２配向パターン３２４を含み、第１および第２配向パターン３１８，３２４が図４Ａ、図６Ａ、図６Ｂのようにスリットおよび突起が組み合わされている。図８Ａから図８Ｃは、この発明の実施形態にかかる３種類のＭＶＡ  ＬＣＤパネルの断面図を示している。先ず、図８Ａにおいて、ＭＶＡ  ＬＣＤパネルは、図６Ａとほぼ同一な構造を有しているので、類似部分は改めて説明しない。注意すべきことは、開口３４０が第１配向パターン３１８（突起を含む）の反対側の電極層３２３中に形成されていることである。図８Ｂにおいて、ＭＶＡ  ＬＣＤパネルは、図６Ｂとほぼ同一な構造を有しており、注意すべきことは、開口３４０が第１配向パターン３１８と反対側の電極層３２３中に形成されていることである。図８Ｃにおいて、第１および第２配向パターン３１８，３２４がスリットを含む時、開口３４０もまた第２配向パターン３２４と反対側の画素電極層３１６中に形成することができる。または、開口３４０を第１および第２配向パターン３１８，３２４と反対側の画素電極層３１６および電極層３１６のいずれにも配置することができる（図示せず）。
【００３６】
つまり、開口のような縮小エリア３１８ａ，３２４ａを有するスリットおよび突起の異なる組み合わせを使用した２つの基板３１０，３２０間に駆動電圧が供給される時、開口のような縮小エリア３１８ａ，３２４ａを有するスリットおよび突起付近の電力線分布を液晶分子３３２を同一方向へ傾斜させて迅速に安定状態に分極化させることができる。このようにして、この発明は、動態画像において良好な品質を持つものとなる。
【００３７】
この発明は、能動素子アレイ（即ち第１基板３１０）上に配置された他の画素構造を提供するものであり、図４、図４Ａ、図６Ａに示すように、能動素子３１５と画素電極層３１６と複数の第１配向パターン３１８とを含んでいる。基板３１１上に配置された能動素子３１５は、薄膜トランジスターとすることができる。画素電極層３１６は、基板３１１上に配置されて能動素子３１５に電気接続される。複数の第１配向パターン３１８は、画素電極層３１６上に配置され、各第１配向パターン３１８が少なくとも１つの縮小エリア３１８ａを有して、縮小エリア３１８ａの幅d1が第１配向パターン３１８の他のエリアの幅d2よりも小さいものである。また、第１配向パターン３１８は、画素電極層３１６中に形成された複数のスリットからなるものである。あるいは、図６Ａに示したように、第１配向パターン３１８は、画素電極層３１６に形成された複数の突起からなるものである。
【００３８】
さらに、図７、図７Ａに示すように、２つの隣接するスリット間に配置された画素電極層３１６が複数の開口３４０を含むものである。ある実施形態において、開口３４０は、第２配向パターン３２４と反対側の画素電極層３１６中に形成される。つまり、この発明の能動素子アレイ基板上に配置された画素構造は、その上に配置された第１配向パターン３１８を含み、それが画素電極層３１６中に形成されたスリット、突起または開口３４０を含むことができる。別な類似した構造は、上述した実施形態において述べられているので、ここでは繰り返さない。
【００３９】
この発明は、カラーフィルター基板（即ち第２基板３２０）上に配置された別な画素構造を提供するものであり、図５、図４Ａ、図６Ａに示すように、カラーフォトレジスト層３２２と、電極層３２３と、複数の第２配向パターン３２４とを含むものである。カラーフォトレジスト層３２２は、基板３２１上に配置される。電極層３２３は、カラーフォトレジスト層３２２上に配置される。第２配向パターン３２４は、電極層３２３上に配置されて、各第２配向パターン３２４が少なくとも１つの縮小エリア３２４ａを有し、縮小エリア３２４ａの幅が第２配向パターン３２４の他エリアの幅より小さくなっている。また、図４Ａに示すように、第２配向パターン３２４が電極層３２３に形成された複数の突起を含むことができる。さらに、図６Ａに示すように、第２配向パターン３２４が電極層３２３に形成された複数のスリットを含むこともできる。
【００４０】
または、図８Ａに示すように、２つの隣接するスリット間に配置された電極層３２３が更に複数の開口３４０を含むこともできる。ある実施形態において、開口３４０は、第１配向パターン３１８と反対側にある電極層３２３中に形成される。
【００４１】
つまり、カラーフィルター基板上に配置された画素構造がその上に配置された第２配向パターン３２４を含み、それが電極層３２３に形成されるスリット、突起または開口３４０を含むことができる。その他の類似した構造は、上述した実施形態において既に説明しているので、ここでは改めて説明しない。
【００４２】
以上のごとく、この発明を好適な実施例により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【図面の簡単な説明】
【００４３】
【図１】従来の多区域垂直配向ＬＣＤを示す平面図である。
【図１Ａ】図１のＡ−Ａ｀線に沿って示した断面図である。
【図２Ａ】従来のＭＶＡ  ＬＣＤパネルを動画チェック画像によりディスプレイ品質チェックする様子を示した説明図である。
【図２Ｂ】従来のＭＶＡ  ＬＣＤパネルを動画チェック画像によりディスプレイ品質チェックする様子を示した説明図である。
【図３】液晶分子配向状態を示す平面図である。
【図４】この発明の実施形態にかかるＭＶＡ  ＬＣＤパネルを示す平面図である。
【図４Ａ】図４のＢ−Ｂ｀線に沿って示した断面図である。
【図５】この発明の実施形態にかかるＭＶＡ  ＬＣＤパネルを示す平面図である。
【図６Ａ】の発明の実施形態にかかるＭＶＡ  ＬＣＤパネルを示す断面図である。
【図６Ｂ】の発明の実施形態にかかるＭＶＡ  ＬＣＤパネルを示す断面図である。
【図６Ｃ】この発明の実施形態にかかるＭＶＡ  ＬＣＤパネルを示す断面図である。
【図７】この発明の第３実施形態にかかるＭＶＡ  ＬＣＤパネルを示す平面図である。
【図７Ａ】図７のＣ−Ｃ｀線に沿って示した断面図である。
【図８Ａ】の発明の実施形態にかかるＭＶＡ  ＬＣＤパネルを示す断面図である。
【図８Ｂ】の発明の実施形態にかかるＭＶＡ  ＬＣＤパネルを示す断面図である。
【図８Ｃ】この発明の実施形態にかかるＭＶＡ  ＬＣＤパネルを示す断面図である。
【符号の説明】
【００４４】
３００  多区域垂直配向型液晶表示パネル
３１０  第１基板
３１１  基板
３１２  走査線
３１３  信号線
３１４  共用電極
３１５  能動素子（薄膜トランジスター）
３１６  画素電極層
３１７  能動素子アレイ
３１８  第１配向パターン
３１８ａ  縮小エリア
３２０  第２基板
３２１  基板
３２２  カラーフォトレジスト層
３２３  電極層
３２４  第２配向パターン
３２４ａ  縮小エリア
３３０  液晶層
３３２  液晶分子
３４０  開口
【図１】
2007011251.tif 000003
【図１Ａ】
2007011251.tif 000004
【図２Ａ】
2007011251.tif 000005
【図２Ｂ】
2007011251.tif 000006
【図３】
2007011251.tif 000007
【図４】
2007011251.tif 000008
【図４Ａ】
2007011251.tif 000009
【図５】
2007011251.tif 000010
【図６Ａ】
2007011251.tif 000011
【図６Ｂ】
2007011251.tif 000012
【図６Ｃ】
2007011251.tif 000013
【図７】
2007011251.tif 000014
【図７Ａ】
2007011251.tif 000015
【図８Ａ】
2007011251.tif 000016
【図８Ｂ】
2007011251.tif 000017
【図８Ｃ】
2007011251.tif 000018
【外国語明細書】
2007011251.tif 000019
2007011251.tif 000020
2007011251.tif 000021
2007011251.tif 000022
2007011251.tif 000023
2007011251.tif 000024
2007011251.tif 000025
2007011251.tif 000026
2007011251.tif 000027
2007011251.tif 000028
2007011251.tif 000029
2007011251.tif 000030
2007011251.tif 000031
2007011251.tif 000032
2007011251.tif 000033
2007011251.tif 000034
2007011251.tif 000035
2007011251.tif 000036
2007011251.tif 000037
2007011251.tif 000038
2007011251.tif 000039
2007011251.tif 000040
2007011251.tif 000041
2007011251.tif 000042
2007011251.tif 000043
2007011251.tif 000044
2007011251.tif 000045
2007011251.tif 000046
2007011251.tif 000047
2007011251.tif 000048